(57)【要約】【課題】本発明は窓ロックを開示した。【解決手段】本発明は窓ロックを公示し、前記壁体の右端面には固定ブロックが固定的に設置され、前記固定ブロックの中には貫通溝と回転チャンバが設置され、前記貫通溝は上下貫通しており、前記回転チャンバは前記貫通溝の左端壁の中に位置しており、前記回転チャンバの頂壁には接点が左右対称に、且つ固定的に設置され、前記回転チャンバと前記貫通溝との間には第一回転軸が回転可能に設置され、前記第一回転軸は左右に延伸しており、本発明の窓ロックは、素早い反応速度を有し、雨天に自動的に窓を締め、ロックを掛け、自動化レベルは高く、同時に、本装置は安全で丈夫であり、使用寿命が長く、適用範囲も広いである。【選択図】図１
2020183690.tif 000002
【特許請求の範囲】
【請求項１】
正面視で、壁体を含み、前記壁体の右端面には固定ブロックが固定的に設置され、前記固定ブロックの中には貫通溝と回転チャンバが設置され、前記貫通溝は上下貫通しており、前記回転チャンバは前記貫通溝の左端壁の中に位置しており、前記回転チャンバの頂壁には接点が左右対称に、且つ固定的に設置され、前記回転チャンバと前記貫通溝との間には第一回転軸が回転可能に設置され、前記第一回転軸は左右に延伸しており、前記第一回転軸の右端には第一円盤が固定的に設置され、前記第一円盤の中には外に開口した凹溝が設置され、前記第一回転軸の左端には第二円盤が固定的に設置され、前記第二円盤の外表面には第一ばねによって弓形金属片が上下対称に連結され、前記弓形金属片の右端面には傾斜ブロックが固定的に設置され、前記固定ブロックの頂面には集水筒が固定的に設置され、前記集水筒には上下貫通した水チャンバが前記貫通溝と連通するように設置され、前記水チャンバの右端壁にはＬ形水管が外部に連通するように設置され、前記水チャンバの底壁には圧力弁が固定的に設置され、前記圧力弁の底壁にはスポイトが固定的に設置され、前記スポイトが水を前記凹溝の中に垂らし、それにより第一円盤の回転を連動させ、第一円盤の回転速度が十分速い時に、前記弓形金属片は遠心力によって前記接点と接触し、且つ二つの前記接点に通電可能に連結させ、前記水チャンバと前記回転チャンバとの間には浮球機構が設置され、前記浮球機構は前記水チャンバの中の水位が十分高い時に、前記傾斜ブロックを固定し、前記弓形金属片を一時的に前記接点と接触させることができ、前記壁体の中には左右貫通したスライドチャンバが設置され、前記スライドチャンバには内部に開口した第一チャンバが上下対称に設置され、前記第一チャンバの中には第二回転軸が回転可能に設置され、前記第二回転軸にはローラが固定的に設置され、前記スライドチャンバの後側端壁の中には第二チャンバが設置され、前記第二チャンバの右端壁にはモータが固定的に設置され、前記モータの正極と負極は二つの前記接点とそれぞれ通電可能に連結され、前記モータの左端には駆動軸が伝動可能に連結され、前記駆動軸と前記ローラとの間にはダブルベルト伝動機構が伝動可能に設置され、前記ダブルベルト伝動機構は前記スライドチャンバの下側の最前端にある前記ローラの回転を連動させることができ、前記スライドチャンバの中にはガラス窓がスライド可能に設置され、前記ガラス窓と前記ローラとは接触しており、前記ガラス窓の左端には緩衝層が固定的に設置され、前記第二チャンバの頂壁には前方に開口した第一スライド溝が設置され、前記第一スライド溝の左端壁には非常停止スイッチが固定的に設置され、前記非常停止スイッチと前記モータとは通電可能に連結され、前記第一スライド溝の頂壁には電磁石が固定的に設置され、前記壁体の左端面にはスイッチが固定的に設置され、前記スイッチと前記電磁石とは通電可能に連結され、前記緩衝層の左端面には金属棒が固定的に設置され、前記金属棒は前記第一スライド溝の中に伸びることができ、前記ローラは前記ガラス窓を前記スライドチャンバの中でスライドさせることができ、前記金属棒が前記第一スライド溝の中にスライドし、前記非常停止スイッチを圧迫する時に、前記モータを停止させることができ、同時に前記電磁石は前記金属棒とは吸引し合い、前記ガラス窓をきつく固定することを特徴とする窓ロック。
【請求項２】
前記浮球機構は左方に開口した第二スライド溝を含み、前記第二スライド溝は前記水チャンバの左端壁に位置し、前記第二スライド溝の中にはスライドブロックがスライド可能に設置され、前記スライドブロックの頂面には浮球が固定的に設置され、前記浮球は浮き上がることで前記スライドブロックを上にスライド連動させ、前記回転チャンバの右端壁には上方に開口した第三スライド溝が連通するように設置され、前記第三スライド溝の中にはスライド棒がスライド可能に設置され、前記スライド棒の中には左方に開口した突出ブロックが設置され、前記スライド棒と前記第三スライド溝の底面との間には第二ばねが連結され、前記水チャンバと前記第三スライド溝との間には線溝が連通するように設置され、前記スライドブロックと前記スライド棒との間には前記鋼線が前記線溝を貫通するように連結されていることを特徴とする請求項１に記載の窓ロック。
【請求項３】
前記ダブルベルト伝動機構は前記駆動軸に設置された第一ベルト車を含み、前記第二チャンバの底端には第三回転軸が回転可能に設置され、前記第三回転軸には第二ベルト車と第三ベルト車が固定的に設置され、前記第三ベルト車は前記第二ベルト車の前側に位置しており、前記第二ベルト車と前記第一ベルト車との間には第一ベルトが伝動可能に連結され、前記駆動軸は前記第一ベルト車の回転を駆動し、前記第一ベルト車は前記第一ベルトによって前記第二ベルト車と前記第三ベルト車との回転を連動させ、前記第二チャンバの前側端壁には前記第一チャンバと連通した第三チャンバが連通するように設置され、前記第三チャンバの右端壁には第四回転軸が回転可能に設置され、前記第四回転軸には第一歯車と第四ベルト車とが固定的に設置され、前記第四ベルト車は前記第一歯車の前側に位置しており、前記第四ベルト車と前記第三ベルト車との間には第二ベルトが伝動可能に連結され、前記スライドチャンバの下側の最前端に位置する前記ローラの左端面には第二歯車が固定的に設置され、前記第二歯車と前記第一歯車とは噛み合っていることを特徴とする請求項１に記載の窓ロック。
【発明の詳細な説明】
【技術分野】
【０００１】
本発明は窓ロック分野を取り上げ、具体的には窓ロックである。
【背景技術】
【０００２】
人々が通勤又は登校で留守する時に、部屋の換気や洗濯物の干しなどのため窓を開ける。しかし、急に雨天になると、窓を閉じる留守番がいないため、洗濯物は雨に濡らし、床にも水がたまり、タイル製又は木製の床にダメージをあたえてしまい、使用寿命に深く影響する。従って、上記の問題を解決できる窓ロックの設計は必要である。
【先行技術文献】
【特許文献】
【０００３】
【特許文献１】中国特許出願公開第１０１２４５６８０号明細書
【発明の概要】
【発明が解決しようとする課題】
【０００４】
本発明は窓ロックを提供し、既存技術にある上記の欠点を解消することを目的とする。
【課題を解決するための手段】
【０００５】
本発明は以下の技術プランによって実現する：本発明の窓ロックは壁体を含み、前記壁体の右端面には固定ブロックが固定的に設置され、前記固定ブロックの中には貫通溝と回転チャンバが設置され、前記貫通溝は上下貫通しており、前記回転チャンバは前記貫通溝の左端壁の中に位置しており、前記回転チャンバの頂壁には接点が左右対称に、且つ固定的に設置され、前記回転チャンバと前記貫通溝との間には第一回転軸が回転可能に設置され、前記第一回転軸は左右に延伸しており、前記第一回転軸の右端には第一円盤が固定的に設置され、前記第一円盤の中には外に開口した凹溝が設置され、前記第一回転軸の左端には第二円盤が固定的に設置され、前記第二円盤の外表面には第一ばねによって弓形金属片が上下対称に連結され、前記弓形金属片の右端面には傾斜ブロックが固定的に設置され、前記固定ブロックの頂面には集水筒が固定的に設置され、前記集水筒には上下貫通した水チャンバが前記貫通溝と連通するように設置され、前記水チャンバの右端壁にはＬ形水管が外部に連通するように設置され、前記水チャンバの底壁には圧力弁が固定的に設置され、前記圧力弁の底壁にはスポイトが固定的に設置され、前記スポイトが水を前記凹溝の中に垂らし、それにより第一円盤の回転を連動させ、第一円盤の回転速度が十分速い時に、前記弓形金属片は遠心力によって前記接点と接触し、且つ二つの前記接点に通電可能に連結させ、前記水チャンバと前記回転チャンバとの間には浮球機構が設置され、前記浮球機構は前記水チャンバの中の水位が十分高い時に、前記傾斜ブロックを固定し、前記弓形金属片を一時的に前記接点と接触させることができ、前記壁体の中には左右貫通したスライドチャンバが設置され、前記スライドチャンバには内部に開口した第一チャンバが上下対称に設置され、前記第一チャンバの中には第二回転軸が回転可能に設置され、前記第二回転軸にはローラが固定的に設置され、前記スライドチャンバの後側端壁の中には第二チャンバが設置され、前記第二チャンバの右端壁にはモータが固定的に設置され、前記モータの正極と負極は二つの前記接点とそれぞれ通電可能に連結され、前記モータの左端には駆動軸が伝動可能に連結され、前記駆動軸と前記ローラとの間にはダブルベルト伝動機構が伝動可能に設置され、前記ダブルベルト伝動機構は前記スライドチャンバの下側の最前端にある前記ローラの回転を連動させることができ、前記スライドチャンバの中にはガラス窓がスライド可能に設置され、前記ガラス窓と前記ローラとは接触しており、前記ガラス窓の左端には緩衝層が固定的に設置され、前記第二チャンバの頂壁には前方に開口した第一スライド溝が設置され、前記第一スライド溝の左端壁には非常停止スイッチが固定的に設置され、前記非常停止スイッチと前記モータとは通電可能に連結され、前記第一スライド溝の頂壁には電磁石が固定的に設置され、前記壁体の左端面にはスイッチが固定的に設置され、前記スイッチと前記電磁石とは通電可能に連結され、前記緩衝層の左端面には金属棒が固定的に設置され、前記金属棒は前記第一スライド溝の中に伸びることができ、前記ローラは前記ガラス窓を前記スライドチャンバの中でスライドさせることができ、前記金属棒が前記第一スライド溝の中にスライドし、前記非常停止スイッチを圧迫する時に、前記モータを停止させることができ、同時に前記電磁石は前記金属棒とは吸引し合い、前記ガラス窓をきつく固定する。
【０００６】
優選的に、前記浮球機構は左方に開口した第二スライド溝を含み、前記第二スライド溝は前記水チャンバの左端壁に位置し、前記第二スライド溝の中にはスライドブロックがスライド可能に設置され、前記スライドブロックの頂面には浮球が固定的に設置され、前記浮球は浮き上がることで前記スライドブロックを上にスライド連動させ、前記回転チャンバの右端壁には上方に開口した第三スライド溝が連通するように設置され、前記第三スライド溝の中にはスライド棒がスライド可能に設置され、前記スライド棒の中には左方に開口した突出ブロックが設置され、前記スライド棒と前記第三スライド溝の底面との間には第二ばねが連結され、前記水チャンバと前記第三スライド溝との間には線溝が連通するように設置され、前記スライドブロックと前記スライド棒との間には前記鋼線が前記線溝を貫通するように連結され、前記スライドブロックは前記鋼線を通じて、前記スライド棒を上にスライド連動させ、それにより、前記突出ブロックを前記回転チャンバの頂端に位置させ、且つ前記傾斜ブロックを支持させ、それにより、前記弓形金属片を前記接点と一時的に接触させる。
【０００７】
優選的に、前記ダブルベルト伝動機構は前記駆動軸に設置された第一ベルト車を含み、前記第二チャンバの底端には第三回転軸が回転可能に設置され、前記第三回転軸には第二ベルト車と第三ベルト車が固定的に設置され、前記第三ベルト車は前記第二ベルト車の前側に位置しており、前記第二ベルト車と前記第一ベルト車との間には第一ベルトが伝動可能に連結され、前記駆動軸は前記第一ベルト車の回転を駆動し、前記第一ベルト車は前記第一ベルトによって前記第二ベルト車と前記第三ベルト車との回転を連動させ、前記第二チャンバの前側端壁には前記第一チャンバと連通した第三チャンバが連通するように設置され、前記第三チャンバの右端壁には第四回転軸が回転可能に設置され、前記第四回転軸には第一歯車と第四ベルト車とが固定的に設置され、前記第四ベルト車は前記第一歯車の前側に位置しており、前記第四ベルト車と前記第三ベルト車との間には第二ベルトが伝動可能に連結され、前記スライドチャンバの下側の最前端に位置する前記ローラの左端面には第二歯車が固定的に設置され、前記第二歯車と前記第一歯車とは噛み合っており、前記第三ベルト車は前記第二ベルトによって前記第四ベルト車と前記第一歯車との回転を連動させ、前記第一歯車は前記第二歯車と前記ローラの回転を連動させ、それにより、前記ローラは前記ガラス窓を前記スライドチャンバの中でスライド連動させる。
【発明の効果】
【０００８】
要約すると、本発明の窓ロックは、素早い反応速度を有し、雨天に自動的に窓を締め、ロックを掛け、自動化レベルは高く、同時に、本装置は安全で丈夫であり、使用寿命が長く、適用範囲も広いである。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の窓ロックの全体構成略図
【図２】図２は図１におけるＡ―Ａの構成略図
【図３】図３は図１におけるＢ―Ｂの構成略図
【図４】図４は図１におけるＣの拡大構成略図
【図５】図５は図１におけるＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５が示したよう、本発明の窓ロックは壁体１４を含み、前記壁体１４の右端面には固定ブロック６０が固定的に設置され、前記固定ブロック６０の中には貫通溝２０と回転チャンバ４８が設置され、前記貫通溝２０は上下貫通しており、前記回転チャンバ４８は前記貫通溝２０の左端壁の中に位置しており、前記回転チャンバ４８の頂壁には接点４６が左右対称に、且つ固定的に設置され、前記回転チャンバ４８と前記貫通溝２０との間には第一回転軸５３が回転可能に設置され、前記第一回転軸５３は左右に延伸しており、前記第一回転軸５３の右端には第一円盤５５が固定的に設置され、前記第一円盤５５の中には外に開口した凹溝５４が設置され、前記第一回転軸５３の左端には第二円盤５２が固定的に設置され、前記第二円盤５２の外表面には第一ばね５１によって弓形金属片４９が上下対称に連結され、前記弓形金属片４９の右端面には傾斜ブロック５０が固定的に設置され、前記固定ブロック６０の頂面には集水筒２２が固定的に設置され、前記集水筒２２には上下貫通した水チャンバ２１が前記貫通溝２０と連通するように設置され、  前記水チャンバ２１の右端壁にはＬ形水管４７が外部に連通するように設置され、  前記水チャンバ２１の底壁には圧力弁４４が固定的に設置され、前記圧力弁４４の底壁にはスポイト４５が固定的に設置され、前記スポイト４５が水を前記凹溝５４の中に垂らし、それにより第一円盤５５の回転を連動させ、第一円盤５５の回転速度が十分速い時に、前記弓形金属片４９は遠心力によって前記接点４６と接触し、且つ二つの前記接点４６に通電可能に連結させ、前記水チャンバ２１と前記回転チャンバ４８との間には浮球機構９０が設置され、前記浮球機構９０は前記水チャンバ２１の中の水位が十分高い時に、前記傾斜ブロック５０を固定し、前記弓形金属片４９を一時的に前記接点４６と接触させることができ、前記壁体１４の中には左右貫通したスライドチャンバ１３が設置され、前記スライドチャンバ１３には内部に開口した第一チャンバ１０が上下対称に設置され、前記第一チャンバ１０の中には第二回転軸１１が回転可能に設置され、前記第二回転軸１１にはローラ１２が固定的に設置され、前記スライドチャンバ１３の後側端壁の中には第二チャンバ１６が設置され、前記第二チャンバ１６の右端壁にはモータ１９が固定的に設置され、前記モータ１９の正極と負極は二つの前記接点４６とそれぞれ通電可能に連結され、前記モータ１９の左端には駆動軸１８が伝動可能に連結され、前記駆動軸１８と前記ローラ１２との間にはダブルベルト伝動機構９１が伝動可能に設置され、前記ダブルベルト伝動機構９１は前記スライドチャンバ１３の下側の最前端にある前記ローラ１２の回転を連動させることができ、前記スライドチャンバ１３の中にはガラス窓３６がスライド可能に設置され、前記ガラス窓３６と前記ローラ１２とは接触しており、前記ガラス窓３６の左端には緩衝層３７が固定的に設置され、前記第二チャンバ１６の頂壁には前方に開口した第一スライド溝２５が設置され、前記第一スライド溝２５の左端壁には非常停止スイッチ２４が固定的に設置され、前記非常停止スイッチ２４と前記モータ１９とは通電可能に連結され、前記第一スライド��２５の頂壁には電磁石２３が固定的に設置され、前記壁体１４の左端面にはスイッチ１５が固定的に設置され、前記スイッチ１５と前記電磁石２３とは通電可能に連結され、前記緩衝層３７の左端面には金属棒３８が固定的に設置され、前記金属棒３８は前記第一スライド溝２５の中に伸びることができ、前記ローラ１２は前記ガラス窓３６を前記スライドチャンバ１３の中でスライドさせることができ、前記金属棒３８が前記第一スライド溝２５の中にスライドし、前記非常停止スイッチ２４を圧迫する時に、前記モータ１９を停止させることができ、同時に前記電磁石２３は前記金属棒３８とは吸引し合い、前記ガラス窓３６をきつく固定する。
【００１３】
好ましくは、前記浮球機構９０は左方に開口した第二スライド溝３９を含み、前記第二スライド溝３９は前記水チャンバ２１の左端壁に位置し、前記第二スライド溝３９の中にはスライドブロック４１がスライド可能に設置され、前記スライドブロック４１の頂面には浮球４０が固定的に設置され、前記浮球４０は浮き上がることで前記スライドブロック４１を上にスライド連動させ、前記回転チャンバ４８の右端壁には上方に開口した第三スライド溝５８が連通するように設置され、前記第三スライド溝５８の中にはスライド棒５９がスライド可能に設置され、前記スライド棒５９の中には左方に開口した突出ブロック５７が設置され、前記スライド棒５９と前記第三スライド溝５８の底面との間には第二ばね５６が連結され、前記水チャンバ２１と前記第三スライド溝５８との間には線溝４２が連通するように設置され、前記スライドブロック４１と前記スライド棒５９との間には前記鋼線４３が前記線溝４２を貫通するように連結され、前記スライドブロック４１は前記鋼線４３を通じて、前記スライド棒５９を上にスライド連動させ、それにより、前記突出ブロック５７を前記回転チャンバ４８の頂端に位置させ、且つ前記傾斜ブロック５０を支持させ、それにより、前記弓形金属片４９を前記接点４６と一時的に接触させる。
【００１４】
好ましくは、前記ダブルベルト伝動機構９１は前記駆動軸１８に設置された第一ベルト車１７を含み、前記第二チャンバ１６の底端には第三回転軸３０が回転可能に設置され、前記第三回転軸３０には第二ベルト車２７と第三ベルト車２９が固定的に設置され、前記第三ベルト車２９は前記第二ベルト車２７の前側に位置しており、前記第二ベルト車２７と前記第一ベルト車１７との間には第一ベルト２６が伝動可能に連結され、前記駆動軸１８は前記第一ベルト車１７の回転を駆動し、前記第一ベルト車１７は前記第一ベルト２６によって前記第二ベルト車２７と前記第三ベルト車２９との回転を連動させ、前記第二チャンバ１６の前側端壁には前記第一チャンバ１０と連通した第三チャンバ３１が連通するように設置され、前記第三チャンバ３１の右端壁には第四回転軸３３が回転可能に設置され、前記第四回転軸３３には第一歯車３２と第四ベルト車３４とが固定的に設置され、前記第四ベルト車３４は前記第一歯車３２の前側に位置しており、前記第四ベルト車３４と前記第三ベルト車２９との間には第二ベルト２８が伝動可能に連結され、前記スライドチャンバ１３の下側の最前端に位置する前記ローラ１２の左端面には第二歯車３５が固定的に設置され、前記第二歯車３５と前記第一歯車３２とは噛み合っており、前記第三ベルト車２９は前記第二ベルト２８によって前記第四ベルト車３４と前記第一歯車３２との回転を連動させ、前記第一歯車３２は前記第二歯車３５と前記ローラ１２の回転を連動させ、それにより、前記ローラ１２は前記ガラス窓３６を前記スライドチャンバ１３の中でスライド連動させる。
【００１５】
下記に、附図と前述した本発明の具体構成を参照し、本願の窓ロックの使用方法について詳しく説明する：
【００１６】
雨が降る時に、前記水チャンバ２１の中は雨で満たされ、前記水チャンバ２１の中の雨水は前記Ｌ形水管４７を通じて一部排出され、降水量が前記Ｌ形水管４７の排水量より多い時に、前記水チャンバ２１の中の水位が上昇すると同時に、前記水チャンバ２１が前記圧力弁４４に対する圧力は増大し、圧力が一定のレベルに達する時に、前記スポイト４５は水を垂らしはじめ、水は前記凹溝５４の中に垂らし、前記第一円盤５５の回転を連動させ、圧力が大きければ大きほど、水が垂らす時の間隔が短くなり、つまり前記第一円盤５５の回転速度は速くなり、前記第一円盤５５の回転速度が十分速い時に、前記弓形金属片４９は遠心力で前記接点４６と接触し、且つ二つの前記接点４６を通電可能に連結させ、前記モータ１９を作動させる。
【００１７】
前記モータ１９は前記駆動軸１８の回転を連動させ、前記駆動軸１８は前記ダブルベルト伝動機構９１によって、前記スライドチャンバ１３の下側の最前端に位置する前記ローラ１２の回転を駆動し、この時、前記ローラ１２は前記ガラス窓３６を連動させ、前記ガラス窓３６を前記スライドチャンバ１３の中で左へスライドさせ、前記金属棒３８が前記第一スライド溝２５の中にスライドし、前記非常停止スイッチ２４を圧迫して前記モータ１９を停止させる時に、前記ガラス窓３６の左へのスライドは停止し、前記ガラス窓３６と前記ローラとが擦り合って相対的な変位を生じ摩損を広げるのを防げ、使用寿命を延び、同時に前記電磁石２３は前記金属棒３８と吸引し合い、前記ガラス窓３６をきつく固定でき、前記窓ロックは大雨の日には自動的に窓を閉め、ロックをかけ、自動化レベルは高いである。
【００１８】
要約すると、本発明の窓ロックは、素早い反応速度を有し、雨天に自動的に窓を締め、ロックを掛け、自動化レベルは高く、同時に、本装置は安全で丈夫であり、使用寿命が長く、適用範囲も広いである。
【図１】
2020183690.tif 000003
【図２】
2020183690.tif 000004
【図３】
2020183690.tif 000005
【図４】
2020183690.tif 000006
【図５】
2020183690.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、壁体を含み、前記壁体の右端面には固定ブロックが固定的に設置され、前記固定ブロックの中には貫通溝と回転チャンバが設置され、前記貫通溝は上下貫通しており、前記回転チャンバは前記貫通溝の左端壁の中に位置しており、前記回転チャンバの頂壁には接点が左右対称に、且つ固定的に設置され、前記回転チャンバと前記貫通溝との間には第一回転軸が回転可能に設置され、前記第一回転軸は左右に延伸しており、前記第一回転軸の右端には第一円盤が固定的に設置され、前記第一円盤の中には外に開口した凹溝が設置され、前記第一回転軸の左端には第二円盤が固定的に設置され、前記第二円盤の外表面には第一ばねによって弓形金属片が上下対称に連結され、前記弓形金属片の右端面には傾斜ブロックが固定的に設置され、前記固定ブロックの頂面には集水筒が固定的に設置され、前記集水筒には上下貫通した水チャンバが前記貫通溝と連通するように設置され、前記水チャンバの右端壁にはＬ形水管が外部に連通するように設置され、前記水チャンバの底壁には圧力弁が固定的に設置され、前記圧力弁の底壁にはスポイトが固定的に設置され、前記スポイトが水を前記凹溝の中に垂らし、それにより第一円盤の回転を連動させ、第一円盤の回転速度が十分速い時に、前記弓形金属片は遠心力によって前記接点と接触し、且つ二つの前記接点に通電可能に連結させ、前記水チャンバと前記回転チャンバとの間には浮球機構が設置され、前記浮球機構は前記水チャンバの中の水位が十分高い時に、前記傾斜ブロックを固定し、前記弓形金属片を一時的に前記接点と接触させることができ、前記壁体の中には左右貫通したスライドチャンバが設置され、前記スライドチャンバには内部に開口した第一チャンバが上下対称に設置され、前記第一チャンバの中には第二回転軸が回転可能に設置され、前記第二回転軸にはローラが固定的に設置され、前記スライドチャンバの後側端壁の中には第二チャンバが設置され、前記第二チャンバの右端壁にはモータが固定的に設置され、前記モータの正極と負極は二つの前記接点とそれぞれ通電可能に連結され、前記モータの左端には駆動軸が伝動可能に連結され、前記駆動軸と前記ローラとの間にはダブルベルト伝動機構が伝動可能に設置され、前記ダブルベルト伝動機構は前記スライドチャンバの下側の最前端にある前記ローラの回転を連動させることができ、前記スライドチャンバの中にはガラス窓がスライド可能に設置され、前記ガラス窓と前記ローラとは接触しており、前記ガラス窓の左端には緩衝層が固定的に設置され、前記第二チャンバの頂壁には前方に開口した第一スライド溝が設置され、前記第一スライド溝の左端壁には非常停止スイッチが固定的に設置され、前記非常停止スイッチと前記モータとは通電可能に連結され、前記第一スライド溝の頂壁には電磁石が固定的に設置され、前記壁体の左端面にはスイッチが固定的に設置され、前記スイッチと前記電磁石とは通電可能に連結され、前記緩衝層の左端面には金属棒が固定的に設置され、前記金属棒は前記第一スライド溝の中に伸びることができ、前記ローラは前記ガラス窓を前記スライドチャンバの中でスライドさせることができ、前記金属棒が前記第一スライド溝の中にスライドし、前記非常停止スイッチを圧迫する時に、前記モータを停止させることができ、同時に前記電磁石は前記金属棒とは吸引し合い、前記ガラス窓をきつく固定し、
前記浮球機構は左方に開口した第二スライド溝を含み、前記第二スライド溝は前記水チャンバの左端壁に位置し、前記第二スライド溝の中にはスライドブロックがスライド可能に設置され、前記スライドブロックの頂面には浮球が固定的に設置され、前記浮球は浮き上がることで前記スライドブロックを上にスライド連動させ、前記回転チャンバの右端壁には上方に開口した第三スライド溝が連通するように設置され、前記第三スライド溝の中にはスライド棒がスライド可能に設置され、前記スライド棒の左端面には突出ブロックが固定的に設けられ、前記スライド棒と前記第三スライド溝の底面との間には第二ばねが連結され、前記水チャンバと前記第三スライド溝との間には線溝が連通するように設置され、前記スライドブロックと前記スライド棒との間には鋼線が前記線溝を貫通するように連結されていることを特徴とする窓ロック。
【請求項２】
前記ダブルベルト伝動機構は前記駆動軸に設置された第一ベルト車を含み、前記第二チャンバの底端には第三回転軸が回転可能に設置され、前記第三回転軸には第二ベルト車と第三ベルト車が固定的に設置され、前記第三ベルト車は前記第二ベルト車の前側に位置しており、前記第二ベルト車と前記第一ベルト車との間には第一ベルトが伝動可能に連結され、前記駆動軸は前記第一ベルト車の回転を駆動し、前記第一ベルト車は前記第一ベルトによって前記第二ベルト車と前記第三ベルト車との回転を連動させ、前記第二チャンバの前側端壁には前記第一チャンバと連通した第三チャンバが連通するように設置され、前記第三チャンバの右端壁には第四回転軸が回転可能に設置され、前記第四回転軸には第一歯車と第四ベルト車とが固定的に設置され、前記第四ベルト車は前記第一歯車の前側に位置しており、前記第四ベルト車と前記第三ベルト車との間には第二ベルトが伝動可能に連結され、前記スライドチャンバの下側の最前端に位置する前記ローラの左端面には第二歯車が固定的に設置され、前記第二歯車と前記第一歯車とは噛み合っていることを特徴とする請求項１に記載の窓ロック。
【手続補正２】
【補正対象書類名】明細書
【補正対象項目名】全文
【補正方法】変更
【補正の内容】
【発明の詳細な説明】
【技術分野】
【０００１】
本発明は窓ロック分野を取り上げ、具体的には窓ロックである。
【背景技術】
【０００２】
人々が通勤又は登校で留守する時に、部屋の換気や洗濯物の干しなどのため窓を開ける。しかし、急に雨天になると、窓を閉じる留守番がいないため、洗濯物は雨に濡らし、床にも水がたまり、タイル製又は木製の床にダメージをあたえてしまい、使用寿命に深く影響する。従って、上記の問題を解決できる窓ロックの設計は必要である。
【先行技術文献】
【特許文献】
【０００３】
【特許文献１】中国特許出願公開第１０１２４５６８０号明細書
【発明の概要】
【発明が解決しようとする課題】
【０００４】
本発明は窓ロックを提供し、既存技術にある上記の欠点を解消することを目的とする。
【課題を解決するための手段】
【０００５】
本発明は以下の技術プランによって実現する：本発明の窓ロックは壁体を含み、前記壁体の右端面には固定ブロックが固定的に設置され、前記固定ブロックの中には貫通溝と回転チャンバが設置され、前記貫通溝は上下貫通しており、前記回転チャンバは前記貫通溝の左端壁の中に位置しており、前記回転チャンバの頂壁には接点が左右対称に、且つ固定的に設置され、前記回転チャンバと前記貫通溝との間には第一回転軸が回転可能に設置され、前記第一回転軸は左右に延伸しており、前記第一回転軸の右端には第一円盤が固定的に設置され、前記第一円盤の中には外に開口した凹溝が設置され、前記第一回転軸の左端には第二円盤が固定的に設置され、前記第二円盤の外表面には第一ばねによって弓形金属片が上下対称に連結され、前記弓形金属片の右端面には傾斜ブロックが固定的に設置され、前記固定ブロックの頂面には集水筒が固定的に設置され、前記集水筒には上下貫通した水チャンバが前記貫通溝と連通するように設置され、前記水チャンバの右端壁にはＬ形水管が外部に連通するように設置され、前記水チャンバの底壁には圧力弁が固定的に設置され、前記圧力弁の底壁にはスポイトが固定的に設置され、前記スポイトが水を前記凹溝の中に垂らし、それにより第一円盤の回転を連動させ、第一円盤の回転速度が十分速い時に、前記弓形金属片は遠心力によって前記接点と接触し、且つ二つの前記接点に通電可能に連結させ、前記水チャンバと前記回転チャンバとの間には浮球機構が設置され、前記浮球機構は前記水チャンバの中の水位が十分高い時に、前記傾斜ブロックを固定し、前記弓形金属片を一時的に前記接点と接触させることができ、前記壁体の中には左右貫通したスライドチャンバが設置され、前記スライドチャンバには内部に開口した第一チャンバが上下対称に設置され、前記第一チャンバの中には第二回転軸が回転可能に設置され、前記第二回転軸にはローラが固定的に設置され、前記スライドチャンバの後側端壁の中には第二チャンバが設置され、前記第二チャンバの右端壁にはモータが固定的に設置され、前記モータの正極と負極は二つの前記接点とそれぞれ通電可能に連結され、前記モータの左端には駆動軸が伝動可能に連結され、前記駆動軸と前記ローラとの間にはダブルベルト伝動機構が伝動可能に設置され、前記ダブルベルト伝動機構は前記スライドチャンバの下側の最前端にある前記ローラの回転を連動させることができ、前記スライドチャンバの中にはガラス窓がスライド可能に設置され、前記ガラス窓と前記ローラとは接触しており、前記ガラス窓の左端には緩衝層が固定的に設置され、前記第二チャンバの頂壁には前方に開口した第一スライド溝が設置され、前記第一スライド溝の左端壁には非常停止スイッチが固定的に設置され、前記非常停止スイッチと前記モータとは通電可能に連結され、前記第一スライド溝の頂壁には電磁石が固定的に設置され、前記壁体の左端面にはスイッチが固定的に設置され、前記スイッチと前記電磁石とは通電可能に連結され、前記緩衝層の左端面には金属棒が固定的に設置され、前記金属棒は前記第一スライド溝の中に伸びることができ、前記ローラは前記ガラス窓を前記スライドチャンバの中でスライドさせることができ、前記金属棒が前記第一スライド溝の中にスライドし、前記非常停止スイッチを圧迫する時に、前記モータを停止させることができ、同時に前記電磁石は前記金属棒とは吸引し合い、前記ガラス窓をきつく固定する。
【０００６】
優選的に、前記浮球機構は左方に開口した第二スライド溝を含み、前記第二スライド溝は前記水チャンバの左端壁に位置し、前記第二スライド溝の中にはスライドブロックがスライド可能に設置され、前記スライドブロックの頂面には浮球が固定的に設置され、前記浮球は浮き上がることで前記スライドブロックを上にスライド連動させ、前記回転チャンバの右端壁には上方に開口した第三スライド溝が連通するように設置され、前記第三スライド溝の中にはスライド棒がスライド可能に設置され、前記スライド棒の左端面には突出ブロックが固定的に設けられ、前記スライド棒と前記第三スライド溝の底面との間には第二ばねが連結され、前記水チャンバと前記第三スライド溝との間には線溝が連通するように設置され、前記スライドブロックと前記スライド棒との間には鋼線が前記線溝を貫通するように連結され、前記スライドブロックは前記鋼線を通じて、前記スライド棒を上にスライド連動させ、それにより、前記突出ブロックを前記回転チャンバの頂端に位置させ、且つ前記傾斜ブロックを支持させ、それにより、前記弓形金属片を前記接点と一時的に接触させる。
【０００７】
優選的に、前記ダブルベルト伝動機構は前記駆動軸に設置された第一ベルト車を含み、前記第二チャンバの底端には第三回転軸が回転可能に設置され、前記第三回転軸には第二ベルト車と第三ベルト車が固定的に設置され、前記第三ベルト車は前記第二ベルト車の前側に位置しており、前記第二ベルト車と前記第一ベルト車との間には第一ベルトが伝動可能に連結され、前記駆動軸は前記第一ベルト車の回転を駆動し、前記第一ベルト車は前記第一ベルトによって前記第二ベルト車と前記第三ベルト車との回転を連動させ、前記第二チャンバの前側端壁には前記第一チャンバと連通した第三チャンバが連通するように設置され、前記第三チャンバの右端壁には第四回転軸が回転可能に設置され、前記第四回転軸には第一歯車と第四ベルト車とが固定的に設置され、前記第四ベルト車は前記第一歯車の前側に位置しており、前記第四ベルト車と前記第三ベルト車との間には第二ベルトが伝動可能に連結され、前記スライドチャンバの下側の最前端に位置する前記ローラの左端面には第二歯車が固定的に設置され、前記第二歯車と前記第一歯車とは噛み合っており、前記第三ベルト車は前記第二ベルトによって前記第四ベルト車と前記第一歯車との回転を連動させ、前記第一歯車は前記第二歯車と前記ローラの回転を連動させ、それにより、前記ローラは前記ガラス窓を前記スライドチャンバの中でスライド連動させる。
【発明の効果】
【０００８】
要約すると、本発明の窓ロックは、素早い反応速度を有し、雨天に自動的に窓を締め、ロックを掛け、自動化レベルは高く、同時に、本装置は安全で丈夫であり、使用寿命が長く、適用範囲も広いである。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の窓ロックの全体構成略図
【図２】図２は図１におけるＡ―Ａの構成略図
【図３】図３は図１におけるＢ―Ｂの構成略図
【図４】図４は図１におけるＣの拡大構成略図
【図５】図５は図１におけるＤの拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５が示したよう、本発明の窓ロックは壁体１４を含み、前記壁体１４の右端面には固定ブロック６０が固定的に設置され、前記固定ブロック６０の中には貫通溝２０と回転チャンバ４８が設置され、前記貫通溝２０は上下貫通しており、前記回転チャンバ４８は前記貫通溝２０の左端壁の中に位置しており、前記回転チャンバ４８の頂壁には接点４６が左右対称に、且つ固定的に設置され、前記回転チャンバ４８と前記貫通溝２０との間には第一回転軸５３が回転可能に設置され、前記第一回転軸５３は左右に延伸しており、前記第一回転軸５３の右端には第一円盤５５が固定的に設置され、前記第一円盤５５の中には外に開口した凹溝５４が設置され、前記第一回転軸５３の左端には第二円盤５２が固定的に設置され、前記第二円盤５２の外表面には第一ばね５１によって弓形金属片４９が上下対称に連結され、前記弓形金属片４９の右端面には傾斜ブロック５０が固定的に設置され、前記固定ブロック６０の頂面には集水筒２２が固定的に設置され、前記集水筒２２には上下貫通した水チャンバ２１が前記貫通溝２０と連通するように設置され、  前記水チャンバ２１の右端壁にはＬ形水管４７が外部に連通するように設置され、  前記水チャンバ２１の底壁には圧力弁４４が固定的に設置され、前記圧力弁４４の底壁にはスポイト４５が固定的に設置され、前記スポイト４５が水を前記凹溝５４の中に垂らし、それにより第一円盤５５の回転を連動させ、第一円盤５５の回転速度が十分速い時に、前記弓形金属片４９は遠心力によって前記接点４６と接触し、且つ二つの前記接点４６に通電可能に連結させ、前記水チャンバ２１と前記回転チャンバ４８との間には浮球機構９０が設置され、前記浮球機構９０は前記水チャンバ２１の中の水位が十分高い時に、前記傾斜ブロック５０を固定し、前記弓形金属片４９を一時的に前記接点４６と接触させることができ、前記壁体１４の中には左右貫通したスライドチャンバ１３が設置され、前記スライドチャンバ１３には内部に開口した第一チャンバ１０が上下対称に設置され、前記第一チャンバ１０の中には第二回転軸１１が回転可能に設置され、前記第二回転軸１１にはローラ１２が固定的に設置され、前記スライドチャンバ１３の後側端壁の中には第二チャンバ１６が設置され、前記第二チャンバ１６の右端壁にはモータ１９が固定的に設置され、前記モータ１９の正極と負極は二つの前記接点４６とそれぞれ通電可能に連結され、前記モータ１９の左端には駆動軸１８が伝動可能に連結され、前記駆動軸１８と前記ローラ１２との間にはダブルベルト伝動機構９１が伝動可能に設置され、前記ダブルベルト伝動機構９１は前記スライドチャンバ１３の下側の最前端にある前記ローラ１２の回転を連動させることができ、前記スライドチャンバ１３の中にはガラス窓３６がスライド可能に設置され、前記ガラス窓３６と前記ローラ１２とは接触しており、前記ガラス窓３６の左端には緩衝層３７が固定的に設置され、前記第二チャンバ１６の頂壁には前方に開口した第一スライド溝２５が設置され、前記第一スライド溝２５の左端壁には非常停止スイッチ２４が固定的に設置され、前記非常停止スイッチ２４と前記モータ１９とは通電可能に連結され、前記第一スライド��２５の頂壁には電磁石２３が固定的に設置され、前記壁体１４の左端面にはスイッチ１５が固定的に設置され、前記スイッチ１５と前記電磁石２３とは通電可能に連結され、前記緩衝層３７の左端面には金属棒３８が固定的に設置され、前記金属棒３８は前記第一スライド溝２５の中に伸びることができ、前記ローラ１２は前記ガラス窓３６を前記スライドチャンバ１３の中でスライドさせることができ、前記金属棒３８が前記第一スライド溝２５の中にスライドし、前記非常停止スイッチ２４を圧迫する時に、前記モータ１９を停止させることができ、同時に前記電磁石２３は前記金属棒３８とは吸引し合い、前記ガラス窓３６をきつく固定する。
【００１３】
好ましくは、前記浮球機構９０は左方に開口した第二スライド溝３９を含み、前記第二スライド溝３９は前記水チャンバ２１の左端壁に位置し、前記第二スライド溝３９の中にはスライドブロック４１がスライド可能に設置され、前記スライドブロック４１の頂面には浮球４０が固定的に設置され、前記浮球４０は浮き上がることで前記スライドブロック４１を上にスライド連動させ、前記回転チャンバ４８の右端壁には上方に開口した第三スライド溝５８が連通するように設置され、前記第三スライド溝５８の中にはスライド棒５９がスライド可能に設置され、前記スライド棒５９の中には左端面には突出ブロック５７が固定的に設けられ、前記スライド棒５９と前記第三スライド溝５８の底面との間には第二ばね５６が連結され、前記水チャンバ２１と前記第三スライド溝５８との間には線溝４２が連通するように設置され、前記スライドブロック４１と前記スライド棒５９との間には鋼線４３が前記線溝４２を貫通するように連結され、前記スライドブロック４１は前記鋼線４３を通じて、前記スライド棒５９を上にスライド連動させ、それにより、前記突出ブロック５７を前記回転チャンバ４８の頂端に位置させ、且つ前記傾斜ブロック５０を支持させ、それにより、前記弓形金属片４９を前記接点４６と一時的に接触させる。
【００１４】
好ましくは、前記ダブルベルト伝動機構９１は前記駆動軸１８に設置された第一ベルト車１７を含み、前記第二チャンバ１６の底端には第三回転軸３０が回転可能に設置され、前記第三回転軸３０には第二ベルト車２７と第三ベルト車２９が固定的に設置され、前記第三ベルト車２９は前記第二ベルト車２７の前側に位置しており、前記第二ベルト車２７と前記第一ベルト車１７との間には第一ベルト２６が伝動可能に連結され、前記駆動軸１８は前記第一ベルト車１７の回転を駆動し、前記第一ベルト車１７は前記第一ベルト２６によって前記第二ベルト車２７と前記第三ベルト車２９との回転を連動させ、前記第二チャンバ１６の前側端壁には前記第一チャンバ１０と連通した第三チャンバ３１が連通するように設置され、前記第三チャンバ３１の右端壁には第四回転軸３３が回転可能に設置され、前記第四回転軸３３には第一歯車３２と第四ベルト車３４とが固定的に設置され、前記第四ベルト車３４は前記第一歯車３２の前側に位置しており、前記第四ベルト車３４と前記第三ベルト車２９との間には第二ベルト２８が伝動可能に連結され、前記スライドチャンバ１３の下側の最前端に位置する前記ローラ１２の左端面には第二歯車３５が固定的に設置され、前記第二歯車３５と前記第一歯車３２とは噛み合っており、前記第三ベルト車２９は前記第二ベルト２８によって前記第四ベルト車３４と前記第一歯車３２との回転を連動させ、前記第一歯車３２は前記第二歯車３５と前記ローラ１２の回転を連動させ、それにより、前記ローラ１２は前記ガラス窓３６を前記スライドチャンバ１３の中でスライド連動させる。
【００１５】
下記に、附図と前述した本発明の具体構成を参照し、本願の窓ロックの使用方法について詳しく説明する：
【００１６】
雨が降る時に、前記水チャンバ２１の中は雨で満たされ、前記水チャンバ２１の中の雨水は前記Ｌ形水管４７を通じて一部排出され、降水量が前記Ｌ形水管４７の排水量より多い時に、前記水チャンバ２１の中の水位が上昇すると同時に、前記水チャンバ２１が前記圧力弁４４に対する圧力は増大し、圧力が一定のレベルに達する時に、前記スポイト４５は水を垂らしはじめ、水は前記凹溝５４の中に垂らし、前記第一円盤５５の回転を連動させ、圧力が大きければ大きいほど、水が垂らす時の間隔が短くなり、つまり前記第一円盤５５の回転速度は速くなり、前記第一円盤５５の回転速度が十分速い時に、前記弓形金属片４９は遠心力で前記接点４６と接触し、且つ二つの前記接点４６を通電可能に連結させ、前記モータ１９を作動させる。
【００１７】
前記モータ１９は前記駆動軸１８の回転を連動させ、前記駆動軸１８は前記ダブルベルト伝動機構９１によって、前記スライドチャンバ１３の下側の最前端に位置する前記ローラ１２の回転を駆動し、この時、前記ローラ１２は前記ガラス窓３６を連動させ、前記ガラス窓３６を前記スライドチャンバ１３の中で左へスライドさせ、前記金属棒３８が前記第一スライド溝２５の中にスライドし、前記非常停止スイッチ２４を圧迫して前記モータ１９を停止させる時に、前記ガラス窓３６の左へのスライドは停止し、前記ガラス窓３６と前記ローラとが擦り合って相対的な変位を生じ摩損を広げるのを防げ、使用寿命を延び、同時に前記電磁石２３は前記金属棒３８と吸引し合い、前記ガラス窓３６をきつく固定でき、前記窓ロックは大雨の日には自動的に窓を閉め、ロックをかけ、自動化レベルは高いである。
【００１８】
要約すると、本発明の窓ロックは、素早い反応速度を有し、雨天に自動的に窓を締め、ロックを掛け、自動化レベルは高く、同時に、本装置は安全で丈夫であり、使用寿命が長く、適用範囲も広いである。